(57)【要約】【課題】本発明の課題は、調製が簡便であり、低温側でも高い反応性を示す新規プロトン型βゼオライト、及びそれを使用する一価フェノール類を酸化して、高収率で二価フェノール類を製造する工業的な製造法を提供することである。【解決手段】本発明の課題は、アンモニア昇温脱離法（ＮＨ３−ＴＰＤ）のスペクトルにおいて、３３０℃を中心としてプラスマイナス１００℃の範囲の脱離ピークを示す酸点が存在し、且つ５００℃以上の脱離ピークを示す強い酸点の量が２．５μｍｏｌ／ｇ以下である新規プロトン型βゼオライトと、同ゼオライトを用いて、一価フェノール類を酸化して、高収率で二価フェノール類を製造する工業的な二価フェノール類の製造法によって解決される。【選択図】          なし【特許請求の範囲】
【請求項１】
アンモニア昇温脱離法（ＮＨ３−ＴＰＤ）のスペクトルにおいて、３３０℃を中心としてプラスマイナス１００℃の範囲の脱離ピークを示す酸点が存在し、且つ５００℃以上の脱離ピークを示す強い酸点の量が２．５μｍｏｌ／ｇ以下であるプロトン型βゼオライト。
【請求項２】
Ａｌ：Ｓｉ（原子比）が１：２５〜１：１００００であるβゼオライトをｐＨが０から６の酸性水溶液に浸漬した後、水洗した後、乾燥し、更に焼成処理する請求項１記載のプロトン型βゼオライトの調製方法。
【請求項３】
請求項１記載のプロトン型βゼオライト及びケトンの存在下、一価フェノール類を過酸化物で酸化することを特徴とする二価フェノール類の製造方法。
【請求項４】
過酸化物が過酸化水素またはケトンパーオキサイドである、請求項３記載の二価フェノール類の製造方法。
【発明の詳細な説明】
【０００１】
【発明の属する技術分野】
本発明は、新規プロトン型βゼオライトとその調製方法、及び同ゼオライトとケトンの存在下、一価フェノール類を過酸化物で酸化して二価フェノール類を製造する方法に関するものである。
【０００２】
【従来の技術】
ゼオライトを触媒とし、一価フェノール類を酸化して二価フェノール類を製造する技術として、例えば特許文献１には希土類金属を含有したフォージャサイトあるいはモルデナイトを用いた例が、また特許文献２にはプロトン型ＺＳＭ−５を用いた例がそれぞれ記載されている。また特許文献３にはシャバザイト等の天然ゼオライト、或いはＵＳ−Ｙ、ＺＳＭ−５等の合成ゼオライトが報告されている。しかしながら、これらの技術において目的生成物の収率は充分でなかった。また、これらゼオライト上に存在する酸点の強度と二価フェノール製造における触媒活性との相関については何ら言及されていない。
【０００３】
非特許文献１には、ＴＳ−１（ＺＳＭ−５の格子中にチタン含むもの）を用いた例が記載されている。しかしながら非特許文献２に示されているように、ＴＳ−１は、その調製の再現性がしばしば問題となっているうえ、目的生成物の収率も充分ではないという問題点がある。
【０００４】
また、非特許文献３にはＴＳ−１とチタンを格子中に含むβゼオライトの比較が記載されているが、ＴＳ−１で過酸化水素基準の収率が７１．５％、チタンを含むβゼオライトで６２．８％と、その収率は充分でない。
【０００５】
特許文献４および特許文献５には、βゼオライトを用いた例が記載されており、更に、アルカリ金属イオンを導入したβゼオライトを用いることで、二価フェノール類の収率が向上することが記載されているが、これらの文献に記載されたβゼオライトでは反応収率の温度依存性が高く、９０℃以下の低温側での収率は充分でなかった。従って反応実施において温度範囲が制限されてしまうことから、更なる改良が求められていた。
【０００６】
【特許文献１】
米国特許第３５８０９５６号明細書
【特許文献２】
米国特許第４５７８５２１号明細書
【特許文献３】
仏国特許出願公開第２６９３４５７号明細書
【特許文献４】
米国特許第６４４１２５０号明細書
【特許文献５】
特開２００３−２６６２３号公報
【非特許文献１】
Ａｄｖａｎｃｅｓ  ｉｎ  Ｃａｔａｌｙｓｉｓ，  ４１（１９９６），
ｐ．２５３−３３４
【非特許文献２】
Ａｃｃｏｕｎｔｓ  ｏｆ  Ｃｈｅｍｉｃａｌ  Ｒｅｓｅａｒｃｈ，３１（８），（１９９８）ｐ．４８５−４９３
【非特許文献３】
Ｊｏｕｒｎａｌ  ｏｆ  Ｐｈｙｓｉｃａｌ  Ｃｈｅｍｉｓｔｒｙ，２０３，（２００１）ｐ．２０１−２１２
【非特許文献４】
Ｊｏｕｒｎａｌ  ｏｆ  Ｐｈｙｓｉｃａｌ  Ｃｈｅｍｉｓｔｒｙ，１０４（２０００），ｐ．２８５３−２８５９
【非特許文献５】
触媒調製化学、講談社（１９８０）ｐ．６１−７３
【非特許文献６】
Ｍｉｃｒｏｐｏｒｏｕｓ  ａｎｄ  Ｍｅｓｏｐｏｒｏｕｓ  Ｍａｔａｒｉａｌｓ，４０（２０００）ｐ．２７１−２８１
【非特許文献７】
Ｋｅｕｌｅｍａｎｓ，“Ｇａｓ  Ｃｈｒｏｍａｔｏｇｒａｐｈｙ”，Ｒｅｉｎｈｏｌｄ，Ｎｅｗ  Ｙｏｒｋ，１９５７，ｐ．３９
【０００７】
【発明が解決しようとする課題】
本発明の課題は、調製が簡便であり、低温側でも高い反応性を示す新規プロトン型βゼオライト、及びそれを使用する一価フェノール類を酸化して、高収率で二価フェノール類を製造する工業的な製造法を提供することである。
【０００８】
【課題を解決するための手段】
本発明者らは、前記の課題を解決するために検討した結果、新規プロトン型βゼオライトを見出すと共に、同ゼオライトを用いて、一価フェノール類を酸化して、高収率で二価フェノール類を製造する工業的な二価フェノール類の製造法を見出し、本発明を完成した。
即ち、本発明は次の通りである。
【０００９】
第一の発明は、アンモニア昇温脱離法（ＮＨ３−ＴＰＤ）のスペクトルにおいて、３３０℃を中心としてプラスマイナス１００℃の範囲の脱離ピークを示す酸点が存在し、且つ５００℃以上の脱離ピークを示す強い酸点の量が２．５μｍｏｌ／ｇ以下に制御されたプロトン型βゼオライトに関するものである。
【００１０】
第二の発明は、Ａｌ：Ｓｉ（原子比）が１：２５〜１：１００００であるβゼオライトをｐＨが０から６の酸性水溶液に浸漬した後、水洗した後、乾燥し、更に焼成処理する第一の発明のプロトン型βゼオライトの調製方法に関するものである。
【００１１】
第三の発明は、第一の発明のプロトン型βゼオライト及びケトンの存在下、一価フェノール類を過酸化物で酸化することを特徴とする二価フェノール類の製造方法に関するものである。
【００１２】
【発明の実施の形態】
以下に本発明を詳しく説明する。
本発明のプロトン型βゼオライトは、βゼオライトを、酸性水溶液に浸漬した後、取り出して、水洗し、乾燥後、焼成処理して得られる。
ここで、βゼオライトとしては、Ａｌ：Ｓｉ（原子比）が１：２５〜１：１００００であるβゼオライトが好ましく使用される。なお、この比率は、βゼオライトの原料であるＳｉ化合物とＡｌ化合物、例えば珪酸ナトリウムとアルミン酸ナトリウムの組成で制御可能である。
【００１３】
このβゼオライトとしては、本発明の酸性水溶液による処理が施されていないプロトン型βゼオライト、アンモニウムイオン交換型βゼオライト、又はアルカリ金属イオン交換型βゼオライト等を使用することができる。
本発明の酸性水溶液による処理が施されていないプロトン型βゼオライトとしては、市販のもの、或いは非特許文献４に記載の方法により新に調製されたプロトン型βゼオライトを使用することができる。
アンモニウムイオン交換型βゼオライトは、市販のものを使用することができる。またアルカリ金属イオン交換型βゼオライトは、プロトン型βゼオライトをアルカリ金属の硝酸塩、塩酸塩又は硫酸塩などの前記金属イオン含有水溶液に浸漬処理する非特許文献５に記載の方法により調整することができる。
これらβゼオライトのうちでは、本発明の酸性水溶液による処理が施されていないプロトン型βゼオライトが好適に用いられる。
【００１４】
本発明の酸性水溶液で使用される酸としては、特に制限されないが、脂肪族カルボン酸（蟻酸、酢酸、プロピオン酸、クエン酸等）、芳香族カルボン酸（安息香酸等）、アミノ酸（アスパラギン酸、グルタミン酸等）、又はスルホン酸（トリフルオロメチルスルホン酸等）などの有機酸、或は無機酸（硝酸、燐酸、弗酸、塩酸、硫酸等）が挙げられるが、無機酸が好ましく、更には硝酸が好ましい。
【００１５】
前記酸性水溶液としては、ｐＨ０〜６に調製されたものが使用される。また、使用量は、前記βゼオライトが充分に浸漬する量であれば良く、特に限定されない。
【００１６】
本発明のβゼオライトの酸性水溶液への浸漬温度は、室温から１２０℃の範囲であり、好ましくは４０〜９０℃である。
また、浸漬時間は１〜１２時間である。
この浸漬操作は、攪拌しながら行うことが好ましいが、静置しても十分同様な効果が得られる。
【００１７】
次に、酸性水溶液に浸漬されたβゼオライトは、取り出されて、水洗される。ここで取り出し方法は、特に限定されないが、例えば、濾過等の方法によって行われる。また、水洗に使用される水としては、イオン交換水が好ましい。
【００１８】
前記の水洗されたβゼオライトは乾燥される。
乾燥の温度範囲は、９０〜１５０℃である。乾燥時間は、前記βゼオライトの量によるが、１時間〜２日である。
この乾燥後、前記βゼオライトは焼成処理される。焼成の温度範囲は、３５０〜９５０℃であるが、４５０〜８５０℃が好ましい。
焼成時間は、１〜２４時間である。
【００１９】
上記の酸性水溶液処理を施して得られる本発明のプロトン型βゼオライトは、アンモニア昇温脱離法（ＮＨ３−ＴＰＤ、昇温速度２０℃／分、測定範囲１００℃〜７００℃）のスペクトルを未処理のものと比較した場合、３３０℃を中心としてプラスマイナス１００℃の範囲の脱離ピークを示す酸点が存在し、且つ５００℃以上の脱離ピークを示す強い酸点の量が２．５μｍｏｌ／ｇ以下、更には０．０００５μｍｏｌ／ｇ（同脱離ピークの検出限界から算出）以上、２．５μｍｏｌ／ｇ以下であるという特徴がある。なお、未処理のものの２００℃付近の脱離ピークは、βゼオライト構造上に存在する、分散力等に基づく物理吸着アンモニアに由来するものであり、酸性水溶液によって顕著に減少している。（図２参照）
ここで、強い酸点の量は、前記アンモニア昇温脱離法（ＮＨ３−ＴＰＤ）での、脱離アンモニア量から計算される（非特許文献６参照）。
また、この脱離アンモニア量の計算は、非特許文献７に記載の定量方法に従って、３３０℃を中心とした主ピークの裾にのった５００℃以上の脱離ピークを、先の主ピークの延長線によって区切り、その面積から定量した。（図１及び下式１参照）
【００２０】
【数１】
2004352578.tif 000002
【００２１】
（式中のＡは、３３０℃を中心とする主ピーク、Ｂは、５００℃以上の脱離ピークを表す。図１参照。）
【００２２】
また、本発明のプロトン型βゼオライトは、そのＦＴ−ＩＲスペクトルを未処理のものと比較した場合、３７８２ｃｍ−１の吸収が検出限界以下である特徴を有する。（図３参照）
【００２３】
本発明のプロトン型βゼオライトは、ケトンの存在下、一価フェノール類を過酸化物で酸化する二価フェノール類の製造において好適に使用される。
【００２４】
ここで使用される一価フェノールとしては、例えば、フェノール、一価モノアルキルフェノール、一価ハロゲン化フェノール、一価ポリアルキルフェノールが挙げられる。
【００２５】
一価モノアルキルフェノールが有するアルキル基としては、直鎖又は分岐状の炭素原子数１〜６個のアルキル基が挙げられる。アルキル基の位置は、反応に関与しなければ特に限定されない。これら化合物としては、例えば、ｏ−，ｍ−又はｐ−クレゾール、ｏ−，ｍ−又はｐ−エチルフェノール、ｏ−プロピルフェノール、ｐ−イソプロピルフェノール、ｍ−ブチルフェノール、ｐ−イソブチルフェノール、ｐ−ｔ−ブチルフェノール、ｍ−イソブチルフェノール、ｐ−ペンチルフェノール、ｐ−ヘキシルフェノールが挙げられる。
【００２６】
一価ハロゲン化フェノールが有するハロゲン原子としては、フッ素、塩素、臭素、ヨウ素が挙げられる。ハロゲン原子の数及び位置は、反応に関与しなければ特に限定されない。これら化合物としては、例えば、ｏ−，ｍ−又はｐ−フルオロフェノール、ｏ−，ｍ−又はｐ−クロロフェノール、ｏ−，ｍ−又はｐ−ブロモフェノール、ｏ−，ｍ−又はｐ−ヨウ化フェノール、２，３−、２，４−、２，５−、２，６−、３，４−又は３，５−ジクロロフェノール、２，３−、２，４−、２，５−、２，６−、３，４−又は３，５−ジブロモロフェノール、２，３，４−、２，３，５−、２，３，６−、２，４，５−、２，４，６−又は３，４，５−トリクロロフェノールが挙げられる。
【００２７】
一価ポリアルキルフェノールが有するアルキル基としては、直鎖又は分岐状の炭素原子数１〜６個のアルキル基が挙げられる。アルキル基の数及び位置は、反応に関与しなければ特に限定されない。これら化合物としては、例えば、２，３−、２，４−、２，５−、２，６−、３，５−又は３，４−ジメチルフェノール、２，３，４−、２，３，５−、２，３，６−又は３，４，５−トリメチルフェノール、２，４，５−トリメチルフェノール、２，３，４，５−又は２，３，５，６−テトラメチルフェノール、２−エチル−３−メチルフェノール、３−ｔ−ブチル−４−メチルフェノール、２−イソプロピル−５−メチルフェノール、２−ペンチル−６−メチルフェノール、３−ヘキシル−５−メチルフェノールが挙げられる。
【００２８】
本発明のプロトン型βゼオライトを用いた二価フェノールの製法において使用されるケトンとしては、例えば、モノケトン、ジケトンが挙げられる。モノケトンとしては、非環式又は環式モノケトンが挙げられる。非環式モノケトンとしては、例えば、炭素原子数３〜２０個、好ましくは３〜１０個の直鎖状又は分岐状脂肪族モノケトンや芳香族モノケトンを挙げることができる。これら化合物の水素原子はハロゲン原子（フッ素原子、塩素原子、臭素原子又はヨウ素原子）で置換されてもよい。ハロゲン原子の数及び位置は、反応に関与しなければ特に限定されない。
【００２９】
直鎖状脂肪族モノケトンとしては、例えば、アセトン、メチルエチルケトン、２−ペンタノン、３−ペンタノン、２−ヘキサノン、２−ヘプタノン、３−ヘプタノン、４−ヘプタノン、２−オクタノン、２−ノナノン、３−デカンノン、６−ウンデカノン、２−トリデカノン、７−トリデカノン、２−テトラデカノン、２−ペンタデカノン、２−ヘキサデカノン、２−ヘプタデカノン、３−オクタデカノン、４−ノナデカノン、１−クロロ−２−プロパノン、１−クロロ−３−ヘプタノン、１−ブロモ−３−ヘプタノンが挙げられる。
【００３０】
分岐状脂肪族モノケトンとしては、例えば、３−メチル−２−ブタノン、３−メチル−２−ペンタノン、４−メチル−２−ペンタノン、３，３−ジメチル−２−ブタノン、２，４−ジメチル−３−ペンタノン、６−メチル−２−ヘプタノン、２，６−ジメチル−４−ヘプタノン、２，２，４，４−テトラメチル−３−ヘプタノンが挙げられる。芳香族モノケトンとしては、例えば、アセトフェノン、ベンゾフェノン、１−フェニル−３−プロパノン、１−フェニル−１−ブタノン、１−フェニル−３−ブタノン、１−フェニル−３−ペンタノン、１，３−ジフェニル−２−プロパノンが挙げられる。
【００３１】
環式モノケトンとしては、例えば、炭素原子数５〜１２個のシクロアルキルモノケトンを挙げることができる。これら化合物の水素原子はハロゲン原子（フッ素原子、塩素原子、臭素原子又はヨウ素原子）、或いは炭素原子数１〜６個の直鎖状又は分岐状のアルキル基などの置換基で置換されてもよい。置換基の数及び位置は、反応に関与しなければ特に限定されない。これら化合物としては、例えば、シクロペンタノン、シクロヘキサノン、シクロドデカノン、２−クロロシクロヘキサノン、２−エチル−１−シクロペンタノン、２−メチル−１−シクロヘキサノンを挙げることができる。
【００３２】
ジケトンとしては、非環式又は環式ジケトンが挙げられる。非環式ジケトンとしては、例えば、炭素原子数５〜２１個、好ましくは５〜１２個の直鎖状又は分岐状脂肪族ジケトンや芳香族ジケトンを挙げることができる。これら化合物の水素原子はハロゲン原子（フッ素原子、塩素原子、臭素原子又はヨウ素原子）で置換されてもよい。ハロゲン原子の数及び位置は、反応に関与しなければ特に限定されない。直鎖状脂肪族ジケトンとしては、例えば、２，３−ブタンジオン、２，４−ペンタンジオン、２，５−ヘキサンジオンが挙げられる。分岐状脂肪族ジケトンとしては、例えば、２，５−ジメチル−３，４−ヘキサンジオンが挙げられる。芳香族ジケトンとしては、例えば、１，２−ジフェニルエタン−１，２−ジオンが挙げられる。
【００３３】
環式ジケトンとしては、例えば、炭素原子数５〜１２個の環式ジケトンを挙げることができる。これら化合物の水素原子はハロゲン原子（フッ素原子、塩素原子、臭素原子又はヨウ素原子）、又は炭素原子数１〜６個の直鎖状又は分岐状のアルキル基などの置換基で置換されてもよい。置換基の数及び位置は、反応に関与しなければ特に限定されない。環式ジケトンとしては、例えば、１，４−シクロヘキサンジオンが挙げられる。
【００３４】
本発明のプロトン型βゼオライトを用いた二価フェノールの製法において使用されるケトンとして好ましいものは、直鎖状又は分岐状脂肪族モノケトン、或いは環式モノケトンであり、更に好ましいものは、直鎖状又は分岐状脂肪族モノケトンであり、その中でも４−メチル−２−ペンタノン、３−ペンタノンが特に好ましい。
【００３５】
ケトンの使用量は、過酸化物に対するケトンのモル比（ケトン：過酸化物）が０．２：１〜５：１になるような割合であることが好ましい。
【００３６】
本発明のプロトン型βゼオライトを用いた二価フェノールの製法では、必ずしも必須ではないが、微量の鉄イオン等の溶存金属イオンが反応に及ぼす悪影響を避けるため、少量の燐酸を添加しても構わない。燐酸としては、オルト燐酸、ピロ燐酸、メタ燐酸、三燐酸、四燐酸、ポリ燐酸、無水燐酸、燐酸性水溶液が挙げられるが、燐酸性水溶液が好ましい。燐酸性水溶液の濃度としては、０．００１〜１００重量％が好ましい。
【００３７】
燐酸の使用量は、一価フェノールに対する燐酸の重量比（燐酸：一価フェノール）が０．０００１：１〜０．０５：１になるような割合であることが好ましい。
【００３８】
本発明のプロトン型βゼオライトを用いた二価フェノールの製法において使用される過酸化物は、過酸化水素などの無機過酸化物、又は、ケトンパーオキサイド、脂肪族過カルボン酸などの有機過酸化物が挙げられる。
【００３９】
ケトンパーオキサイドとしては、例えば、炭素原子数が３〜２０個、好ましくは３〜１０個であるジアルキルケトンパーオキサイドが挙げられる。これら化合物としては、例えば、ジメチルケトンパーオキサイド、ジエチルケトンパーオキサイド、メチルエチルケトンパーオキサイド、メチル−ｎ−プロピルケトンパーオキサイド、メチルイソプロピルケトンパーオキサイド、及びメチルイソブチルケトンパーオキサイドなどを挙げられる。
【００４０】
脂肪族過カルボン酸としては、過酢酸、過プロピオン酸などを挙げられる。
【００４１】
過酸化水素としては、０．１重量％以上、好ましくは０．１〜９０重量％の過酸化水素水を使用することができるが、３０〜８０重量％のものが更に好ましい。
【００４２】
本発明のプロトン型βゼオライトを用いた二価フェノールの製法において使用される過酸化物としては、過酸化水素またはケトンパーオキサイドか好ましい。このケトンパーオキサイドはケトンと過酸化水素の接触により合成可能であり、ここで使用されるケトンは前記と同様のものである。
【００４３】
過酸化物の使用量は、一価フェノールに対する過酸化物のモル比（過酸化物：一価フェノール）が１：１〜１：１００、更には１：５〜１：２０になるような範囲であることが好ましい。
【００４４】
過酸化物の反応系内への添加方法としては、一括して反応開始時に添加しても構わないが、副反応の併発を抑制して、高収率で反応を進行させるために、数回に分割して添加するか、または送液ポンプを用いて微量ずつ連続的に添加するのが好ましい。分割添加の場合は、一回あたりの過酸化物の一価フェノールに対する添加量は、モル比（過酸化物：一価フェノール）で０．０５：１００〜２：１００、更に好ましくは０．１：１００〜２：１００である。また、分割添加、連続添加いずれの場合においても、反応系内における過酸化物の一価フェノールに対する量はモル比で０．０５：１００〜２：１００の範囲が好ましく、更には０．１：１００〜１：１００の範囲が好ましい。
【００４５】
前記の二価フェノールの製造において使用される本発明のプロトン型βゼオライトの形状としては、粉体、粒体、ペレット、ハニカム状成形体などを挙げることができる。
【００４６】
前記の二価フェノールの製造に応じた形状としては、例えば、液相バッチ式反応器を用いて製造する時には、粉体、粒体などを使用するのが好ましく、液相流通式反応器を用いた時には、ペレット、ハニカム状成形体などが好ましい。
【００４７】
前記の二価フェノールの製造において、プロトン型βゼオライトの使用量は、一価フェノールに対するプロトン型βゼオライトの重量比（βゼオライト：一価フェノール）が１：１〜１：５００、更には１：５〜１：１００になるような範囲であることが好ましい。
【００４８】
前記の二価フェノールの製造における反応温度は、２０〜３００℃、更には４０〜２００℃であることが好ましい。反応時間は、例えば、プロトン型βゼオライトのＡｌ：Ｓｉ（原子比）の違いや反応温度によって異なるが、特に制限は無い。また、反応は大気圧で行えるが減圧又は加圧下で行ってもよい。反応は、液相で、バッチ式、流通式、トリクルベッド方式などで行うことができる。
【００４９】
前記の二価フェノールの製造の方法としては、例えば、一価フェノール、過酸化水素、ケトン及び燐酸を、βゼオライトをあらかじめ充填した反応器に供給して、一価フェノールを酸化してニ価フェノールを生成させ、反応器から反応混合物を排出させる反応などが挙げられる。
【００５０】
前記の二価フェノールの製造で得られる二価フェノールは、原料の一価フェノールの構造に対応して、１種類あるいは数種類のものの混合物として得られる。また、これらの二価フェノールは、常法にて分離、精製して得ることができる。
【００５１】
【実施例】
以下、本発明を実施例及び比較例によって具体的に説明する。なお、本発明はこれら実施例で制限されるものではない。
【００５２】
二価フェノールの収率は、次式に従って求めたものである。なお、分析はガスクロマトグラフィーにより行った。
【００５３】
【数２】
2004352578.tif 000003
【００５４】
実施例１．（Ｈ／βＨＮＯ３（３８）の調製）
Ａｌ：Ｓｉ＝１：３８であるゼオリスト製のプロトン型βゼオライト粉体（以下Ｈ／β（３８）と記載）５．０ｇを、硝酸性水溶液（ｐＨ＝１．３５）が４０ｍｌ入ったナスフラスコに入れ、これをオイルバスで８０℃に加熱して、攪拌を行った。２時間後、ゼオライトを濾過して、イオン交換水で洗浄した後、１１０℃で乾燥し、５５０℃で２．５時間空気焼成した。得られたプロトン型βゼオライト（以下Ｈ／βＨＮＯ３（３８）と記載）のＩＣＰ発光分析を行ったところ、同βゼオライト中のＡｌ：Ｓｉ（原子比）は、Ａｌ：Ｓｉ＝１：７８であった。また、ＮＨ３−ＴＰＤ測定（昇温速度２０℃／分、測定範囲１００℃〜７００℃）を行ったところ、未処理を行わなかったのものと比べ５００℃以上の強い酸点に帰属される脱離ピークが著しく減少していた（図２参照）。この図に示したＮＨ３−ＴＰＤスペクトルから、５００℃以上の温度領域に存在する強い酸点の量を、前記式１から計算したところ、０．５５μｍｏｌ／ｇであったのに対し、硝酸未処理のもの（Ｈ／β（３８））では３．０μｍｏｌ／ｇと顕著な差が認められた。またＦＴ−ＩＲスペクトルを比較したところ、Ｈ／β（３８）で検出された３７８２ｃｍ−１の吸収は検出されなかった（図３参照）。
【００５５】
実施例２．（Ｈ／βＨＮＯ３（１３）の調製）
Ａｌ：Ｓｉ＝１：１３であるゼオリスト製のプロトン型βゼオライト粉体（以下Ｈ／β（１３）と記載）５．０ｇを、硝酸性水溶液（ｐＨ＝１．３０）が４０ｍｌ入ったナスフラスコに入れ、これをオイルバスで８０℃に加熱して、攪拌を行った。２時間後、ゼオライトを濾過して、イオン交換水で洗浄した後、１１０℃で乾燥し、５５０℃で２．５時間空気焼成した。得られたプロトン型βゼオライト（以下Ｈ／βＨＮＯ３（１３）と記載）のＩＣＰ発光分析を行ったところ、βゼオライト中のＡｌ：Ｓｉ（原子比）は、Ａｌ：Ｓｉ＝１：６９であった。また、ＮＨ３−ＴＰＤ測定（昇温速度２０℃／分、測定範囲１００℃〜７００℃）を行ったところ、未処理のもの（Ｈ／β（１３））と比べ５００℃以上の強い酸点に帰属される脱離ピークが著しく減少していた。実施例１と同様にして算出した強い酸点の量は、Ｈ／βＨＮＯ３（１３）では１．８μｍｏｌ／ｇであったのに対し、Ｈ／β（１３）では４．２μｍｏｌ／ｇと顕著な差が認められた。
また、ＦＴ−ＩＲスペクトルを比較したところ、Ｈ／β（１３）で検出された３７８２ｃｍ−１の吸収は検出されなかった。
【００５６】
実施例３．
実施例１で調製されたＨ／βＨＮＯ３（３８）０．２０ｇ、フェノール１０．０ｇ、３−ペンタノン０．２７ｇ、８５重量％燐酸性水溶液０．０２ｇを３００ｍｌのフラスコに入れて、窒素雰囲気に置換した後、攪拌しながら６０℃まで昇温した。次いで、この温度において、６０％重量過酸化水素水を０．１０ｇ滴下し、１．５分後更に０．１０ｇ、３分後更に０．１０ｇ滴下して、最初の滴下から５分になるまで反応させた。
その結果、ニ価フェノールの収率は、カテコールが５２．８％、ハイドロキノンが４１．５％で、カテコールとハイドロキノンの合計収率は９４．３％であった。
【００５７】
実施例４．
反応温度を１００℃とした以外は実施例３と同様に反応させた。
その結果、ニ価フェノールの収率は、カテコールが５４．９％、ハイドロキノンが４１．１％で、カテコールとハイドロキノンの合計収率は９６．０％であった。
【００５８】
比較例１．
Ｈ／βＨＮＯ３（３８）をＨ／β（３８）とした以外は実施例３と同様に反応させた。
その結果、ニ価フェノールの収率は、カテコールが５０．０％、ハイドロキノンが３４．７％で、カテコールとハイドロキノンの合計収率は８４．７％であった。
【００５９】
比較例２．
反応温度を１００℃とした以外は比較例４と同様に反応させた。
その結果、ニ価フェノールの収率は、カテコールが５１．４％、ハイドロキノンが３３．６％で、カテコールとハイドロキノンの合計収率は８５．０％であった。
【００６０】
実施例５
Ｈ／βＨＮＯ３（３８）をＨ／βＨＮＯ３（１３）とした以外は実施例４と同様に反応させた。
その結果、ニ価フェノールの収率は、カテコールが５２．６％、ハイドロキノンが３９．１％で、カテコールとハイドロキノンの合計収率は９１．７％であった。
【００６１】
比較例３
Ｈ／βＨＮＯ３（３８）をＨ／β（１３）とした以外は実施例４と同様に反応させた。
その結果、ニ価フェノールの収率は、カテコールが４９．３％、ハイドロキノンが３３．８％で、カテコールとハイドロキノンの合計収率は８３．１％であった。
【００６２】
【表１】
2004352578.tif 000004
【００６３】
実施例６．
実施例１で調製したＨ／βＨＮＯ３（３８）０．２０ｇ、フェノール１０．０ｇ、３−ペンタノン０．２７ｇを３００ｍｌのフラスコに入れ、窒素雰囲気に置換した後、攪拌しながら１００℃まで昇温した。次いで、この温度において、６０％重量過酸化水素水を０．１０ｇ滴下し、１．５分後更に０．１０ｇ、３分後更に０．１０ｇ、４．５分後に０．１ｇ、６分後に０．１ｇ、７．５分後に０．１ｇ滴下して、最初の滴下から１０分になるまで反応させた。
その結果、ニ価フェノールの収率は、カテコールが４８．４％、ハイドロキノンが４３．７％で、カテコールとハイドロキノンの合計収率は９２．１％であった。
【００６４】
実施例７．
反応前原料に８５％燐酸性水溶液０．０２ｇを加えた以外は実施例６と同様に反応させた。
その結果、ニ価フェノールの収率は、カテコールが５０．４％、ハイドロキノンが４０．４％で、カテコールとハイドロキノンの合計収率は９０．８％であった。
【００６５】
比較例３．
Ｈ／βＨＮＯ３（３８）をＨ／β（３８）とした以外は実施例６と同様に反応させた。
その結果、ニ価フェノールの収率は、カテコールが４５．１％、ハイドロキノンが３７．９％で、カテコールとハイドロキノンの合計収率は８３．１％であった。
【００６６】
比較例４．
Ｈ／βＨＮＯ３（３８）をＨ／β（３８）とした以外は実施例７と同様に反応させた。
その結果、ニ価フェノールの収率は、カテコールが４７．７％、ハイドロキノンが３３．０％で、カテコールとハイドロキノンの合計収率は８０．７％であった。
【００６７】
【表２】
2004352578.tif 000005
【００６８】
【発明の効果】
本発明のプロトン型βゼオライトは、βゼオライトを酸性水溶液に浸漬する簡便な調製方法で得られるものである。本プロトン型βゼオライトは、一価フェノール類を過酸化物で酸化する二価フェノール類の製造において、低温側でも高い反応性を示し、高収率で二価フェノール類を製造することができる。
【図面の簡単な説明】
【図１】プロトン型βゼオライトのアンモニア昇温脱離法（ＮＨ３−ＴＰＤ）のスペクトル（模式図）
【図２】Ｈ／β（３８）及びＨ／βＨＮＯ３（３８）のアンモニア昇温脱離法（ＮＨ３−ＴＰＤ）のスペクトル
【図３】Ｈ／β（３８）及びＨ／βＨＮＯ３（３８）のＦＴ−ＩＲスペクトル
【図１】
2004352578.tif 000006
【図２】
2004352578.tif 000007
【図３】
2004352578.tif 000008